(57)【要約】      （修正有）【課題】簡易な構成で視覚障害者を安全に誘導や警告などの案内ができる音声案内装置付白杖を提供する。【解決手段】音声案内装置付白杖１０は、白杖２０の先端部２１が、ドットコード付視覚障害者誘導用ブロック４０に接することで、赤外線センサー３１が、ドットコードの情報を読み取り、制御部３２が、ドットコードの情報を対応する音声データに変換してスピーカー３３に伝送し、スピーカー３３で音声データが音声に変換されて記視覚障害者Ｈに伝達される。【選択図】図１
0003201670.tif 000002
【実用新案登録請求の範囲】
【請求項１】
視覚障害者が用いる白杖に音声で案内をする音声案内装置が設けられ、前記視覚障害者に前記音声で案内をする音声案内装置付白杖であって、
前記音声案内装置は、
赤外線吸収機能を有する赤外線吸収ドットを所定の規則に従って配列することにより、情報として用いるドットコードが施された部材から、前記ドットコードの情報を読み取る赤外線センサーと、
前記赤外線センサーで読み取られた前記ドットコードの情報を、対応する音声データに変換する制御部と、
前記音声データを音声として出力する音声発生器と、
を有することを特徴とする音声案内装置付白杖。
【請求項２】
前記部材は、視覚障害者誘導用ブロックであり、
前記ドットコードが施された部材は、ドットコード付視覚障害者誘導用ブロックであり、
前記ドットコード付視覚障害者誘導用ブロックは、複数の前記ドットコードが印刷されたドットコード付シートが、前記視覚障害者誘導用ブロックに貼り付けられている構成であることを特徴とする請求項１に記載の音声案内装置付白杖。
【請求項３】
前記部材は、視覚障害者誘導用ブロックであり、
前記ドットコードが施された部材は、ドットコード付視覚障害者誘導用ブロックであり、
前記ドットコード付視覚障害者誘導用ブロックは、前記視覚障害者誘導用ブロックに、複数の前記ドットコードが印刷されている構成であることを特徴とする請求項１に記載の音声案内装置付白杖。
【請求項４】
前記赤外線センサーは、前記白杖の内部の先端部に設けられ、
前記制御部と前記音声発生器は、前記白杖の内部の上端部に設けられ、
前記先端部が、前記ドットコード付視覚障害者誘導用ブロックの領域の任意の部分に接することで、前記赤外線センサーが、前記任意に接した部分の前記ドットコードの情報を読み取り、前記制御部が、前記ドットコードの情報を対応する音声データに変換し、前記音声発生装置が、前記音声データを前記音声に変換し、前記視覚障害者に伝達することを特徴とする請求項２または請求項３に記載の音声案内装置付白杖。
【請求項５】
前記音声発生器は、スピーカーまたはイヤホーンであることを特徴とする請求項１から請求項４のいずれか１項に記載の音声案内装置付白杖。
【考案の詳細な説明】
【技術分野】
【０００１】
本考案は、音声案内装置付白杖に関する。
【背景技術】
【０００２】
地面や床面にブロックを敷設することで視覚障害者を安全に誘導することができる視覚障害者誘導用ブロックが知られており、電磁誘導装置を用いて視覚障害者に音声で誘導や警告などの案内を行うことも知られている。
【考案の概要】
【考案が解決しようとする課題】
【０００３】
上記の視覚障害者に誘導や警告のための視覚障害者誘導用ブロックは視覚障害者に十分な案内ができず、電磁誘導を用いる装置は複雑であり簡易に用いることができないという問題があった。
【０００４】
そこで本考案は、このような課題を解決するためになされたもので、複雑な構成ではなく簡易に視覚障害者を安全に誘導や警告などの案内ができる音声案内装置付白杖を提供することを目的とする。
【課題を解決するための手段】
【０００５】
上記課題を解決するために、本考案に係る音声案内装置付白杖は、視覚障害者が用いる白杖に音声で案内をする音声案内装置が設けられ、前記視覚障害者に前記音声で案内をする音声案内装置付白杖であって、前記音声案内装置は、赤外線吸収機能を有するドットを所定の規則に従って配列することにより、情報として用いるドットコードが施された部材から、前記ドットコードの情報を読み取る赤外線センサーと、前記赤外線センサーで読み取られた前記ドットコードの情報を、対応する音声データに変換する制御部と、前記音声データを音声として出力する音声発生装置と、を有することを特徴とする。
【０００６】
本考案に係る音声案内装置付白杖の態様について、前記部材は、視覚障害者誘導用ブロックであり、前記ドットコードが施された部材は、ドットコード付視覚障害者誘導用ブロックであり、前記ドットコード付視覚障害者誘導用ブロックは、前記障害者誘導用ブロックに、複数の前記ドットコードが印刷されたドットコード付シートが、前記視覚障害者誘導用ブロックに貼り付けられている構成であることが好ましい。
【０００７】
本考案に係る音声案内装置付白杖の態様について、前記部材は、視覚障害者誘導用ブロックであり、前記ドットコードが施された部材は、ドットコード付視覚障害者誘導用ブロックであり、前記ドットコード付視覚障害者誘導用ブロックは、前記視覚障害者誘導用ブロックに、複数の前記ドットコードが印刷されている構成であることが好ましい。
【０００８】
本考案に係る音声案内装置付白杖の態様について、前記赤外線センサーは、前記白杖の内部の先端部に設けられ、前記制御部と前記音声発生装置は、前記白杖の内部の上端部に設けられ、前記先端部が、前記ドットコード付視覚障害者誘導用ブロックの領域の任意の部分に接することで、前記赤外線センサーが、前記任意に接した部分の前記ドットコードの情報を読み取り、前記制御部が、前記ドットコードの情報を対応する音声データに変換し、前記音声発生装置が、前記音声データを前記音声に変換し、前記視覚障害者に伝達することが好ましい。
【０００９】
本考案に係る音声案内装置付白杖の態様について、前記音声発生器は、スピーカーまたはイヤホーンであることが好ましい。
【考案の効果】
【００１０】
本考案の音声案内装置付白杖によれば、複雑な構成ではなく簡易に視覚障害者を安全に誘導や警告などの案内ができる音声案内装置付白杖を提供することができる。
【図面の簡単な説明】
【００１１】
【図１】実施形態の音声装置付白杖を示す模式図である。
【図２】ドットコード付視覚障害者誘導用ブロックの一例を説明する模式図である。
【考案を実施するための形態】
【００１２】
以下、本考案の音声装置付白杖の実施形態を図１及び図２を用いて説明する。
【００１３】
図１に示すように、音声案内装置付白杖１０は、視覚障害者Ｈが用いる白杖２０に音声で案内をする音声案内装置３０が設けられており、以下各構成について説明する。
【００１４】
音声案内装置３０は、部材の一例である視覚障害者誘導用ブロック４１にドットコード４２ａが施されたドットコード付視覚障害者誘導用ブロック４０から、ドットコード４２ａの情報を読み取るセンサーの一例である赤外線センサー３１を有している。
【００１５】
ドットコード付視覚障害者誘導用ブロック４０は、例えば、直径０．０５ｍｍのドットで形成された赤外線吸収機能を有する赤外線吸収ドット４２ｂを、所定の規則に従って配列し、情報として用いるドットコード４２ａが、視覚障害者誘導用ブロック４１に施されたものである。
【００１６】
図２に示すように、ドットコード付視覚障害者誘導用ブロック４０は、実施形態において、複数のドットコード４２ａが印刷されたドットコード付シート４２を、視覚障害者誘導用ブロック４１に貼り付けられている構成であるが、これに限定されず、例えば、視覚障害者誘導用ブロック４１に、複数のドットコード４２ａが印刷されている構成であってもよい。
【００１７】
また、図２に示すドットコード４２ａには、例えば、２ｍｍ角の範囲に、３２個のドットがパターンとして配置されているなど、一定の法則に基づいて赤外線吸収ドット４２ｂが配置されており、この配置のパターンによって特定のコード番号や座標情報などが定義されており、この例においては、例えば赤外線センサー３１による撮像が直径４ｍｍであれば、２ｍｍ角のドットコードを検出することができる。
【００１８】
ドットコード付シート４２に用いるシートは、薄くて広がりがあり、赤外線吸収ドット４２ｂが、印刷されるもので、素材はプラスチック、布、紙、金属など多様であり、視覚障害者誘導用ブロック４１の配置されている場所、例えば、横断歩道、階段、分かれ道、バス停留所、エスカレータ、エレベータ、トイレ、駅構内の案内、駅ホーム乗車口、施設内の案内に応じて素材を選択し、防水性などのコーティングを施してもよく、また、上記のとおり、視覚障害者誘導用ブロック４１に、複数のドットコード４２ａを直接印刷する構成であってもよい。
【００１９】
また、音声案内装置３０は、赤外線センサー３１で読み取られたドットコード４２ａの情報を対応する音声データに変換する制御部３２を有し、この音声データを音声として出力する音声発生器の一例であるスピーカー３３を有している。
【００２０】
実施形態では、音声発生器としてスピーカー３３を用いているが、これに限定されず、例えば、イヤホーンを用いてもよく、また、携帯端末に転送してこの携帯端末から視覚障害者Ｈに通知してもよい。
【００２１】
実施形態では、赤外線センサー３１は、白杖２０内部の先端部２１に設けられており、また、制御部３２とスピーカー３３は、白杖２０の内部の上端部２２に設けられている。
【００２２】
上記の音声案内装置付白杖１０は、白杖２０の先端部２１が、ドットコード付視覚障害者誘導用ブロック４０の領域の任意の部分に接することで、すなわち、先端部２１が、ドットコード付シート４２が貼り付けられている領域または複数のドットコード４２ａが直接印刷されている領域のいかなる部分に接したとしても、赤外線センサー３１が、複数のドットコード４２ａの内から接した部分のドットコード４２ａの情報を読み取り、制御部３２が、ドットコード４２ａの情報を対応する音声データに変換してスピーカー３３に伝送し、スピーカー３３で音声データが音声に変換されて視覚障害者Ｈに伝達される。
【００２３】
また、例えば、上記のドットコード付シート４２が貼り付けられている領域または複数のドットコード４２ａが直接印刷されている領域には、複数の同一の情報、例えば、横断歩道です、という音声を発するためのコードを有する複数の同一のドットコード４２ａが施されており、一方、この領域とは異なる他の領域においては、複数の同一の他の情報、例えば、階段です、という音声を発するためのコードを有する複数の同一の他のドットコードが施されている構成であってもよい。
【００２４】
上記のような特徴を有する本考案の音声案内装置付白杖１０は、ドットコード４２ａを用いたドットコード付シート４２を視覚障害者誘導用ブロック４１に貼りつけ、ドットコード付視覚障害者誘導用ブロック４０とすることで、視覚障害者Ｈは、音声案内装置付白杖３０を用いてドットコード４２ａからの情報を音声で聞くことができる簡易な構成であり、視覚障害者Ｈに対する音声案内の普及を図ることができるものである。
【００２５】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２６】
また、音声案内装置付白杖の大きさや形状、素材の厚さ、重さなどについては多様な実施形態が可能であり、それらについて本実施形態と異なる形態による実施は、本考案の技術的範囲に含まれる。
【符号の説明】
【００２７】
１０  音声案内装置付白杖
２０  白杖
２１  先端部
２２  上端部
３０  音声案内装置
３１  赤外線センサー
３２  制御部
３３  スピーカー
４０  ドットコード付視覚障害者誘導用ブロック
４１  視覚障害者誘導用ブロック
４２  ドットコード付シート
４２ａ  ドットコード
４２ｂ  赤外線吸収ドット
Ｈ    視覚障害者
【図１】
0003201670.tif 000003
【図２】
0003201670.tif 000004
【手続補正書】
【提出日】平成27年10月23日(2015.10.23)
【手続補正１】
【補正対象書類名】実用新案登録請求の範囲
【補正対象項目名】全文
【補正方法】変更
【補正の内容】
【実用新案登録請求の範囲】
【請求項１】
視覚障害者が用いる白杖に音声で案内をする音声案内装置が設けられ、前記視覚障害者に前記音声で案内をする音声案内装置付白杖であって、
前記音声案内装置は、
赤外線吸収機能を有する赤外線吸収ドットを所定の規則に従って配列することにより、情報として用いるドットコードが施された部材から、前記ドットコードの情報を読み取る赤外線センサーと、
前記赤外線センサーで読み取られた前記ドットコードの情報を、対応する音声データに変換する制御部と、
前記音声データを音声として出力する音声発生器と、
を有することを特徴とする音声案内装置付白杖。
【請求項２】
前記部材は、視覚障害者誘導用ブロックであり、
前記ドットコードが施された部材は、ドットコード付視覚障害者誘導用ブロックであり、
前記ドットコード付視覚障害者誘導用ブロックは、複数の前記ドットコードが印刷されたドットコード付シートが、前記視覚障害者誘導用ブロックに貼り付けられている構成であることを特徴とする請求項１に記載の音声案内装置付白杖。
【請求項３】
前記部材は、視覚障害者誘導用ブロックであり、
前記ドットコードが施された部材は、ドットコード付視覚障害者誘導用ブロックであり、
前記ドットコード付視覚障害者誘導用ブロックは、前記視覚障害者誘導用ブロックに、複数の前記ドットコードが印刷されている構成であることを特徴とする請求項１に記載の音声案内装置付白杖。
【請求項４】
前記赤外線センサーは、前記白杖の内部の先端部に設けられ、
前記制御部と前記音声発生器は、前記白杖の内部の上端部に設けられ、
前記先端部が、前記ドットコード付視覚障害者誘導用ブロックの領域の任意の部分に接することで、前記赤外線センサーが、前記任意に接した部分の前記ドットコードの情報を読み取り、前記制御部が、前記ドットコードの情報を対応する音声データに変換し、前記音声発生器が、前記音声データを前記音声に変換し、前記視覚障害者に伝達することを特徴とする請求項２または請求項３に記載の音声案内装置付白杖。
【請求項５】
前記音声発生器は、スピーカーまたはイヤホーンであることを特徴とする請求項１から請求項４のいずれか１項に記載の音声案内装置付白杖。